(57)【特許請求の範囲】
【請求項１】
主電源によって給電される電気装置のエネルギ管理制御装置であって，該電気装置は活性利用のための第１モードにおける全電力動作と，不活性のときの第２モードとのために構成され，前記第２モードは無作動状態と，待機状態と，無負荷状態とのうち一つを含み，
前記エネルギ管理制御装置は，
プロセッサベース装置と，
前記プロセッサベース装置によって，前記電気装置を前記主電源と接続又は切断するように動作するスイッチと，
前記主電源が前記スイッチによって切断されているとき及び前記電気装置が前記第２モードにあるとき，前記プロセッサベース装置に給電するように動作するエネルギ蓄積素子と，を備え，
前記プロセッサベース装置は，前記エネルギ蓄積素子の第１電圧と，前記第１モードの前記電気装置の動作に対応する第２電圧とを監視し、前記第１電圧及び前記第２電圧のうち少なくとも一つの所定の変化に応答して，前記電気装置を前記主電源と接続及び切断するように前記スイッチを動作させ、前記第２電圧が消え，それによって前記電気装置が前記第２モードを想定したことを指示したとき，前記電気装置を前記主電源から切断するように前記スイッチを動作させ、前記第２電圧が消えたとき低電力休眠状態に入り，前記第１電圧を監視するために周期的に前記低電力休眠状態から覚醒するように構成される，制御装置。
【請求項２】
前記プロセッサベース装置はマイクロコントローラを備える，請求項１に記載の制御装置。
【請求項３】
前記エネルギ蓄積素子は超コンデンサである，請求項１に記載の制御装置。
【請求項４】
前記プロセッサベース装置は，前記第１電圧が所定のしきい値に近づいたとき，前記電気装置を前記主電源に再接続するように構成される，請求項１に記載の制御装置。
【請求項５】
前記第１電圧が所定のしきい値より高いとき，前記プロセッサベース装置は前記低電力休眠状態に戻るように構成される，請求項１に記載の制御装置。
【請求項６】
前記プロセッサベース装置は，前記第２電圧があるときはいつでも，前記主電源を前記電気装置に接続するように前記スイッチを動作させるように更に構成される，請求項１に記載の制御装置。
【請求項７】
前記プロセッサベース装置は，前記第１電圧及び前記第２電圧双方の所定の変化に応答して，前記電気装置を前記主電源と接続及び切断するように前記スイッチを選択的に動作させるように更に構成される，請求項１に記載の制御装置。
【請求項８】
前記スイッチと連携するプッシュボタンを更に備える，請求項１に記載の制御装置。
【請求項９】
主電源によって給電される電気機器のエネルギ管理システムであって，該電気機器は活性利用のための第１モードと，不活性のときの第２モードとにおいて動作するように構成され，前記第２モードは無作動状態と，待機状態と，無負荷状態とのうち一つを含み，
前記主電源及び前記電気機器と接続するように構成された制御装置であって，
プロセッサベース装置と，
前記プロセッサベース装置によって，前記電気機器を前記主電源と接続又は切断するように動作するスイッチと，
前記主電源が前記スイッチによって切断されているとき及び前記電気機器が前記第２モードにあるとき，前記プロセッサベース装置に給電するように動作するエネルギ蓄積素子と，を備え，
前記プロセッサベース装置は，前記エネルギ蓄積素子と関係する第１電圧入力と，第２電圧入力とを監視するように構成され，前記第１モードの前記電気機器の動作は前記第２電圧入力に電圧信号を提示し，前記電圧信号は，前記電気機器が前記第２モードに入ったとき消え，
前記プロセッサベース装置は，前記第２電圧が消えたとき，前記電気装置を前記主電源から切断するように前記スイッチを動作させ、前記第２電圧が消えたとき低電力休眠状態に入り，前記第１電圧を監視するために定期的に前記低電力休眠状態から覚醒するように更に構成される，制御装置を備えたシステム。
【請求項１０】
前記プロセッサベース装置は，前記第２電圧が現れたときはいつでも，前記電気機器を前記主電源に再接続するように前記スイッチを動作させるように更に構成される，請求項９に記載のシステム。
【請求項１１】
前記プロセッサベース装置は，前記電気機器が前記主電源から切断されている間，前記第１電圧入力を監視し，前記第１電圧と所定の電圧しきい値とを比較するように更に構成される，請求項９に記載のシステム。
【請求項１２】
前記プロセッサベース装置は，前記第１電圧が前記所定のしきい値に近づいたとき，前記電気機器を前記主電源に再接続するように前記スイッチを動作させるように更に構成される，請求項１１に記載のシステム。
【請求項１３】
前記所定のしきい値は，前記プロセッサベース装置の最低電圧要求条件に対応する，請求項１１に記載のシステム。
【請求項１４】
前記プロセッサベース装置は，前記第１電圧が前記所定のしきい値より高いとき，前記低電力休眠状態に再入するように更に構成される，請求項９に記載のシステム。
【請求項１５】
前記プロセッサベース装置はマイクロコントローラを備える，請求項９に記載のシステム。
【請求項１６】
前記エネルギ蓄積素子は超コンデンサである，請求項９に記載のシステム。
【請求項１７】
前記制御装置は前記電気機器と統合されている，請求項９に記載のシステム。
【請求項１８】
前記電気機器は，充電器機器と，電力アダプタと，可搬型電子装置と，非可搬型電子装置と，車両電力系統と関係する機器とのうち一つである，請求項９に記載のシステム。
【請求項１９】
前記制御装置は，前記スイッチと連携するプッシュボタンを更に備える，請求項９に記載のシステム。
【請求項２０】
エネルギ管理システムであって，
主電源によって給電されるように構成された電気機器であって，活性利用のための第１モードと，不活性のときの第２モードとにおいて動作するように構成され，前記第２モードは無作動状態と，待機状態と，無負荷状態とのうち一つを含む電気機器と，
前記主電源及び前記電気機器と接続するように構成された前記電気機器に関係する制御装置であって，
覚醒状態及び低電力休眠状態で動作するプロセッサベース装置と，
前記覚醒状態において，前記プロセッサベース装置によって前記電気機器を前記主電源と接続又は切断するように動作するスイッチと，
前記主電源が前記スイッチによって切断されているとき及び前記電気機器が前記第２モードにあるとき，前記プロセッサベース装置に給電するように動作するエネルギ蓄積素子と，を備え，
前記プロセッサベース装置は，前記エネルギ蓄積素子と関係する第１電圧入力と，第２電圧入力とを監視するように構成され，前記第１モードの前記電気機器の動作は前記第２電圧入力に電圧信号を提示し，前記電圧信号は，前記電気機器が前記第２モードに入ったとき消え，
前記プロセッサベース装置は，前記第２電圧が消えたとき，前記電気機器を前記主電源から切断するように前記スイッチを動作させるように構成され，
前記プロセッサベース装置は，前記第２電圧が消えたとき前記低電力休眠状態に入り，
その後，前記第１電圧を監視するために周期的に前記覚醒状態に入る，システム。
【請求項２１】
前記プロセッサベース装置は前記覚醒状態に入り，前記第２電圧が現れたときはいつでも，前記電気機器を前記主電源に再接続するように前記スイッチを動作させるように更に構成される，請求項２０に記載のシステム。
【請求項２２】
前記プロセッサベース装置は，
前記覚醒状態にあるとき，前記第１電圧と所定の電圧しきい値とを比較し，
前記第１電圧が所定のしきい値より十分に高いとき，前記低電力休眠状態に再入するか，
又は
前記第１電圧が前記所定のしきい値に近づいたとき，前記エネルギ蓄積素子が再充電されるまで，前記電気機器を前記主電源に再接続する，ように前記スイッチを動作させるように更に構成される，請求項２０に記載のシステム。
【請求項２３】
前記プロセッサベース装置はマイクロコントローラを備える，請求項２０に記載のシステム。
【請求項２４】
前記エネルギ蓄積素子は超コンデンサである，請求項２０に記載のシステム。
【請求項２５】
前記制御装置は前記電気機器と統合されている，請求項２０に記載のシステム。
【請求項２６】
前記電気機器は，充電器機器と，電力アダプタと，可搬型電子装置と，非可搬型電子装置と，車両電力系統と関係する機器とのうち一つである，請求項２０に記載のシステム。
【請求項２７】
前記制御装置は，前記スイッチと連携するプッシュボタンを更に備える，請求項２０に記載のシステム。
【請求項２８】
前記電気機器は，電源コードと，前記主電源に接続するようにしたプラグとを含む，請求項２０に記載のシステム。
【請求項２９】
前記電気機器は，前記第１モードにおいて，ＡＣ主電源によって給電されるように構成される，請求項２０に記載のシステム。
【請求項３０】
前記電気機器は，前記第１モードにおいて，ＤＣ主電源によって給電されるように構成される，請求項２０に記載のシステム。
【請求項３１】
電気装置がエネルギ消費を管理する方法であって，
前記電気装置はＡＣ主電源及びＤＣ主電源のうち少なくとも一つによって給電されるように構成され，
前記電気装置はさらに，活性利用のための第１の全電力動作モードと，不活性のときの第２の電力削減動作モードとにおいて動作するように構成され，前記第２の電力削減動作モードは無作動状態と，待機状態と，無負荷状態とのうち一つであり，
前記方法は，プロセッサベース装置と，前記プロセッサベース装置によって，前記電気装置を前記主電源と接続又は切断するように動作するスイッチと，前記主電源が前記スイッチによって切断されているとき及び前記電気装置が不活性であるとき，前記プロセッサベース装置に給電するように動作するエネルギ蓄積素子と，を含む制御装置を利用し，
前記方法は，
前記プロセッサベース装置で前記エネルギ蓄積素子の第１電圧を監視するステップと，
前記プロセッサベース装置で前記第１のモードの前記電気装置の動作と関係する第２電圧を監視するステップと，
前記第２電圧が現れたときはいつでも，前記電気装置を前記主電源に接続するように前記プロセッサベース装置で前記スイッチを動作させるステップと，
前記第２電圧が消えたときはいつでも，前記電気装置を前記主電源から切断するように前記プロセッサベース装置で前記スイッチを動作させるステップと，
前記第２電圧が消えたとき，前記プロセッサベース装置が低電力休眠状態に入るステップと，
前記電気装置が前記主電源から切断されている間，前記エネルギ蓄積素子で前記プロセッサベース装置を給電するステップと，
前記プロセッサベース装置により前記第１電圧を監視するために覚醒状態に入るステップと，を有する，方法。
【請求項３２】
前記覚醒状態にあるとき，前記プロセッサベース装置で前記第１電圧と所定の電圧しきい値とを比較するステップと，
前記第１電圧が所定のしきい値より十分高いとき，前記低電力休眠状態に再入するステップと，を更に有する，請求項３１に記載の方法。
【請求項３３】
前記第１電圧が前記所定のしきい値に近づいたとき，前記電気装置を前記主電源に再接続するように前記プロセッサベース装置で前記スイッチを動作させるステップを更に有する，請求項３２に記載の方法。
【請求項３４】
前記電気装置が前記主電源に再接続されている間，前記プロセッサベース装置で前記第１電圧を監視するステップと，
前記第１電圧が前記エネルギ蓄積素子の所定の再充電電圧に到達したとき，前記電気装置を前記主電源から切断するように前記プロセッサベース装置で前記スイッチを動作させるステップと，を更に有する請求項３３に記載の方法。
【請求項３５】
前記制御装置を前記電気装置及び前記主電源と接続するステップは，電源コードを前記主電源に差し込むステップを含む，請求項３１に記載の方法。
【請求項３６】
前記制御装置を前記電気装置及び前記主電源と接続するステップを更に有する，請求項３１に記載の方法。
【請求項３７】
前記制御装置を前記電気装置と統合するステップを更に有する，請求項３１に記載の方法。
【請求項３８】
前記制御装置を前記電気装置に追加するステップを更に有する，請求項３１に記載の方法。
【請求項３９】
前記制御装置を前記電気装置及び前記主電源と接続するステップは，前記制御装置をＡＣ主電源と接続するステップを含む，請求項３１に記載の方法。
【請求項４０】
前記エネルギ蓄積素子は超コンデンサである，請求項３１に記載の方法。
【請求項４１】
前記電気装置は，充電器機器と，電力アダプタと，可搬型電子装置と，非可搬型電子装置と，車両電力系統と関係する機器とのうち一つである，請求項３１に記載の方法。
【発明の詳細な説明】
【技術分野】
【０００１】
本発明の分野は概略，電子装置及び機器の電力管理制御システムに関し，より詳細には電気機器及び装置が活性利用されていないときの電力消費を最小化する電子制御装置に関する。
【背景技術】
【０００２】
種々の理由によって，電気エネルギ消費は家庭及び業務の顧客によって益々精査されるようになっている。近年，利用中の電気エネルギ消費量を削減したすべてのタイプの機器を提供するために多くの努力がなされている。このような機器は市場でよく容認されており，家庭及び業務双方の電力消費者に大いに望ましいものである。従来の機器に比べて電気エネルギ消費を削減した電気機器を提供するために大いなる進歩があった一方で，更なるエネルギ消費節減に対する欲求が残されている。
【図面の簡単な説明】
【０００３】
【図１】電気装置又は機器用の例示エネルギ管理制御電子部品のブロック図である。
【図２】図１に示した制御装置及び機器を含む電力管理システムを示す図である。
【図３】図２に示したシステムにおいて図１に示した制御部品によって実行可能なエネルギ管理制御アルゴリズムの例示フローチャートである。
【発明を実施するための形態】
【０００４】
暫く前から，従来提供されていた装置よりもよりエネルギ効率のよい種々の電気製品及びシステムが入手可能である。活性利用中のこのような装置のエネルギ消費を減少させることに多くの成功が収められた。例えば，中でも最近の暖房，換気及び冷房（ＨＶＡＣ）システムと，冷蔵庫と，食器洗い機と，電子レンジとは今や，以前よりも少ない電力で，同等の利用中性能を発揮する。
【０００５】
限定するものではないが，オーディオ／ビデオ受信機，ＤＶＤ（登録商標）プレイヤ，テレビ，モニタ，ゲーム機，パーソナルコンピュータ，ノート型計算機及びすべての種類の電子装置を含む多くの電子機器及び装置はいずれも，通常，動作中のエネルギ節減機能に留意して設計されている。このようなエネルギ節減は長い間に評価され，結果的に製品製造業者によってしばしば売り込まれ，家庭及び商用の環境において利用するために消費者にしばしば好まれる。実際，いくらかの消費者にとって，異なるブランド及びモデルの機器の間の相対的なエネルギ消費は，購入判断における判断要因となりうる。
【０００６】
最近の多くの機器及び装置は利用中のエネルギ節減が可能であるが，それらの機器の多くは，たとえ利用していないときでもエネルギを消費することに，多くの消費者は気付いていない。特に，電源コードを含む大型の移動型ではない機器は，電源コードによって装置がＡＣコンセントに接続されている限り，素人の利用者の観点からすれば電源が切られており利用されていないときでも，いくらかの電力を消費することがある。機器装置は通常，利用者が当該装置を利用のために「オン」にし，利用しないとき「オフ」にすることができる，ある形態の電源スイッチを含む。
【０００７】
多くの最近の機器装置においては，利用者が利用後装置をオフにしたとき，装置は，通常低電力状態である別の動作状態に入り，その状態では主要な利用者機能は不活性化されるが，ほかの機能は継続する。このような交番動作状態は，限定するものではないが，無作動（ｉｄｌｅ）状態又は待機（ｓｔａｎｄｂｙ）状態を含む，種々の名前で呼ばれる。この種の機器及び装置は，恐らくは装置に接続されている主電源に大きな電力損失がある場合又は装置が電源コンセントに接続されていない長期間を除いて，ほとんどの場合，真に完全に「オフ」ではない。機器装置の無接続を含む短期間の電力損失又は中断に関しては，ある程度の期間は装置内に備えられたエネルギ蓄積素子が無作動状態又は待機状態に電力を供給し続けることができる。
【０００８】
多くの種類の電子装置に関しては，無作動状態においてエネルギ消費があり，それが望ましいことについて有効な設計上の考慮及び理由があり，望ましい。例えば，時計，指示器，表示装置及び遠隔制御機能は，このような無作動状態又は待機状態において役に立つ。さらに，無作動モード又は待機モードにおいてメモリ記憶装置が役に立ち，例えば，進行中の活動（例えば，ＤＶＤ（登録商標）の映画の特定箇所，又はゲームに関係する情報）に関する履歴データのようなほかの関心のあるデータと同様に，利用者が設定したか，又は装置の電源が切断される前に利用者が保存した利用者の好み及びオプションを記憶してもよい。このような情報を記憶することによって，装置が再度オンにされたとき，利用者は進行中の活動を便利に継続し，所望の情報及び設定を検討し，又は所望の情報を後で利用し，呼び戻すために保存してもよい。
【０００９】
また，オーディオ／ビデオ受信機，テレビ，ＤＶＤ（登録商標）プレイヤ及びゲームシステムのような機器装置に関しては，これらはすべて今はウェブ接続可能であり，このような装置の設定は，好適には装置間で調整されている多くのオプションの選択又は解除（ｄｅ−ｓｅｌｅｃｔｉｏｎ）を伴うことがある。したがって，最適な結果を達成するための設定はかなりの時間が掛かることがあり，いくらかの購入者は，このような装置の据え付け及び設定を自分で行うよりも，専門家による据え付け及び設定に投資することを選ぶ。成功裏に完了すると，選択したオプション及びパラメータの記憶が非常に望ましく，その場合，包括的設定過程は一般に一度行うだけでよい。その後，種々の機器は対応する設定を覚えておくことができ，利用者は単に楽しむだけでよい。
【００１０】
さらに，装置又は機器がオフにされた後に電力が供給され続けた場合，機器又は装置が利用のためにオンにされたとき，完全にエネルギのない状態に比べて待機モードから起動したときは，ある場合には機器又は装置の起動時間がより短くなるか，及び／又は性能が改善されることがある。このことは，計算機装置，プリンタ，複写機，ファクシミリ装置及びある種のホームシアタ装置に関して特に当てはまる。
【００１１】
無作動又は待機状態における電力量給条件は，装置がオンで利用されているときの電力要求条件のほんの一部であるが，このような無作動電力消費は，いくつかの機器に渡って累積的に考えると未だ大きいことがある。装置をたまにしか利用せず，装置は長時間無作動又は待機状態である消費者にとって，無作動及び待機状態の好適性及び利点は減少する。このような装置がたまにしか利用されないとき，無作動状態のエネルギ消費は反生産的であり，無作動又は待機状態を提供する利点には疑いが生じる。
【００１２】
可搬型電子装置に関しては，通常再充電可能電池が提供される。一般に，このような可搬型装置には，一方の端を電源コンセントに接続し，他の端を可搬型装置に接続する電源コードを含む充電器及びアダプタが利用できる。このような充電器及びアダプタは電源コンセントからのＡＣ電力をＤＣ電力に変換して装置に給電するか，又は車両のバッテリのようなＤＣ電源から，装置を動作させるために適切なＤＣ電力に変換する。したがって，電子装置は利用のために代替電源装置によって給電することができ，必要なときは同時に装置内の電池を再充電することができる。中でも，セルラ電話機，スマートホン，ノート型計算機，タブレット型計算機，可搬型ＤＶＤ（登録商標）プレイヤ，オーディオ及びビデオメディア装置，可搬型ゲーム装置，可搬型全球測位システム（ＧＰＳ）装置，デジタルカメラ装置及びビデオ録画機のような可搬型又は移動型電子装置はこのような方法で提供されることが多い。多くの消費者は，このような装置の充電器を対応する壁のコンセントに差し込み，充電器が実際に可搬型電子装置に接続されているかどうかにかかわらず，差し込んだままにしておく傾向がある。このことは無負荷状態と呼ばれることがある。
【００１３】
多くの消費者は，通常の充電器機器は無負荷状態であっても連続的に電力を消費することに気が付かない。すなわち，多くの消費者は，充電器が実際に電気装置に接続されており，充電のために用いられていなければ，たとえ壁のコンセントに差し込まれていても，電力を消費しないと誤解することがある。上述のように無作動状態において装置に給電する十分な理由があるほかの機器装置と異なり，充電器機器においては無負荷状態におけるこのようなエネルギ消費には利点はない。これは電力浪費に過ぎず，ある人によれば，完全に防ぐことができ，非常に普通であり，しばしば見過ごされているため，最悪の電力浪費である。
【００１４】
今日，多くの消費者は複数の可搬型電子装置を所有し，それらのための複数の充電器を有している。各メンバが１又は複数の装置及び充電器を所有している家庭では，それらの多くが充電のために利用されていないときであってもコンセントに差し込まれたままであり，問題は倍増する。このような可搬型電子装置の業務利用者の急増は，多くの場合，消費者が複数の充電器を所有し，別々の場所（例えば，家及び職場）に保管し，しばしばコンセントに差し込まれたままにする原因となる。旅行の際，消費者は自分の充電器を持って行き，寝ている間充電器をコンセントに差し込み，自分の電子装置を充電することが知られている。このような状況においては，充電器は通常装置の電池を充電するために実際に必要な期間よりずっと長い期間動作する。多くの消費者は，電子装置内の電池がフル充電された後も，多くの種類の充電器は電力を取り込み続けることを知らないかも知れない。
【００１５】
いくつかの報告によれば，典型的な家庭における年当たりの典型的電気エネルギ消費の１０％〜１５％は，無作動状態，待機状態又は充電器機器の場合，無負荷状態の電子装置及び機器によって消費される電力に帰するものである。したがって，年当たり何百ドルもが活性利用されていない種々の電子機器及び装置に給電するために使われている。このような電力消費は，多くの消費者に怪しまれず，本質的に負の寄生であるため，「吸血鬼電力」と呼ばれることがある。可搬型か否かによらず，消費者電子装置の見かけ上終わりのない急増を仮定すれば，このような問題は増加する懸念になりつつある。典型的な家庭に関しては，吸血鬼電力問題に寄与する電子装置及び機器の数は時間と共に増加しそうであり，したがってこれらの問題は時間と共に増加しそうである。
【００１６】
エネルギ消費者にこのような問題を教育し，通知する努力がなされる一方で，提供されたほとんどの典型的対処法は，エネルギの浪費を避けるために，活性利用されていないときは電子装置及び機器をコンセントから外すように消費者に忠告することである。しかし多くの消費者にとってこれは不便であり，いくつかの場合には非実用的な忠告である。
【００１７】
種々の理由によって，電気コンセントは常に容易に利用できるとは限らず，したがってある場所にある機器装置をコンセントに差し込むことは単に難問であり，このような場合，装置が一旦電力コンセントに差し込まれると，利用者が装置をコンセントから抜くことの誘因は最小である。実際，熱心な消費者電子装置の利用者にとって，特に旅行の際は，自分の装置を充電するために十分なコンセントを探すことでさえ難問であることがある。また，特に頻繁な充電を必要とする頻繁に使われる可搬型電子装置に関しては，多くの消費者は，充電器を利用の都度抜き差しするよりも，便利な場所に差し込み，そのままにしておく方が単に容易なことが分かる。身体障害のある消費者にとっては，望んだとしても，エネルギを節約するために装置をコンセントに抜き差しすることができないことがある。最後に，もちろん，一部の人々は吸血鬼電力消費問題に単に気付いておらず，この問題を十分理解しないか若しくは認識せず，又は無視することを単に選ぶ。
【００１８】
車両の電気システムから可搬型電子装置に給電するためのアダプタ及び充電器もまた入手できるが，同様の問題及び結果を有する。今日の近代的な車両は，車両内の種々の場所にあるいくつかのこのような可搬型電子装置を収容するために，通常，車両全体に分布したいくつかの電力コンセントが提供されている。しかし，多くの車両所有者は，いくらかの時間，イグニッションキーをオフにして車両を駐車した際，接続した可搬型電子装置が車両のバッテリを空にしたため，バッテリ上がりに遭遇したことがある。このような驚愕はもちろん歓迎されず，これは，可搬型装置及び／又はその充電器若しくはアダプタがどのように実際に動作するかを多くの消費者が理解しないもう一つの領域である。ある種の可搬型装置が，充電器／アダプタと共に車両内で用いられた場合，イグニッションキーがオフにされたことを認識して，車両のバッテリを空にする機会を最小化するために自身の電力を低下させるように設計されているときは，このような混乱は恐らく増加するだけである。いくつかの装置は確かにこのように効果的に機能するが，すべての装置がそうではなく，問題は残る。
【００１９】
同様に，近代的な車両は，車両のバッテリが枯渇するのを避けるために装置を切り離す知的な機能を含むことがある。例えば，接続された装置を，車両のイグニッションキーがオフにされたあと，一定の期間後に自動的に切り離してもよい。しかし，このような機能は，車両の利用者が意識的又は無意識にオン又はオフにすることがある。したがって，それでもなお，混乱及び問題は，車両のバッテリの意図しない枯渇を防ぐよく設計された車両システムの機能でさえも打ち負かす結果となることがある。
【００２０】
種々の応用について説明した種類のエネルギ浪費に対抗する種々のシステム及び方法が提案されてきたが，どれも，単純，実用的，便利かつ入手可能な解決方法を提供したとは考えられない。むしろ，このような問題を処理するために設計された既存のシステム及び方法は，複雑，不必要に高価，非実用的又は不便であり，人的エラーにさらされる。
【００２１】
以降に説明する例示電気装置及び機器制御装置，システム及び方法は，比較的単純かつ低コストで，電子装置又は機器が無作動かつ利用されていないとき，それらを主電源（例えば，ＡＣ主電源又は車両のバッテリ）から自動的に切り離し，利用する必要があるとき，主電源を再接続する。プロセッサベースの制御装置で実現したとき，本方法によるシステム及び方法はこれらの装置の無作動時の電力浪費をなくし，また，電気装置又は機器を主電源から抜く必要をなくす。上述の電子装置及び機器はいずれも，ほかのものと同様に恩恵を受ける。ここで説明する装置及びアプリケーションは例示に過ぎず，制限ではなく説明のために提供されるものである。上述したものと類似のエネルギ消費問題を呈するどの電子機器又は装置も，本明細書において特に参照したかどうかにかかわらず，開示された本願発明の思想の恩恵を受ける。
【００２２】
これらの恩恵は，以降説明するとおり，電源が切り離されているとき，超コンデンサを利用して，電子装置又は機器と連携するプロセッサベースの制御装置にエネルギを供給することによって達成される。電源が切断されている時間は非常に短期間から，何週，何ヶ月まで変わり得るため，超コンデンサエネルギ蓄積は，切断時間が長いとき，しばしば完全に消費され，長い切断時間の後に装置に再電力供給する問題は避けられる。電池のような別の種類のエネルギ蓄積装置と比べて，超コンデンサは低コスト及びほぼ無限の寿命を提供する。すべての電池技術は寿命が有限である。
【００２３】
本発明の思想は図１及び２のブロック図に示されている。方法の態様は部分的には明白であり，部分的には，図３のアルゴリズムに関係して明示的に説明される。
【００２４】
ここで図１を参照すると，例示制御装置１００が，図２に示された電子装置又はシステム２００とは別個の部品として図１に示されている。システム２００は，正常利用中は電源コードの接続プラグ４０２を介して主電源４００によって給電される機器３００を含む。別個の部品として示されているが，制御装置１００は機器３００自体に統合されていてもよいし，機器３００に追加されるモジュールであってもよい。したがって，制御装置１００は，機器３００と統合して提供してもよいし，既存の機器３００に追加してもよい。
【００２５】
さらに別の実施形態として，プラグ４０２は，機器３００とは別に提供される充電器機器装置と関係してもよい。このような実施形態においては，機器３００は可搬型の電池給電の装置であってもよく，主電源４００及び機器３００に接続されたとき代替電力を供給し，機器３００内の電池を再充電する機能を有する充電器を含む。
【００２６】
図１に示した制御部品１００に重要なものは，エネルギ蓄積装置１０２と，エネルギ蓄積装置１０２によって給電される監視装置又はコントローラ１０４と，監視装置１０４と連携するメモリ１０５と，スイッチ１０６とであり，スイッチは監視装置１０４によって作動して開閉し，したがって，以降説明するとおり，機器３００と主電源４００とを接続及び切断する。
【００２７】
図１に示した例において，エネルギ蓄積装置１０２は，同一のサイズの電池よりも蓄積容量が一般に小さい超コンデンサが望ましいが，ほかの実施形態においては限定ではないが電池を含むほかのエネルギ蓄積装置も利用してもよい。監視装置１０４は微小電力で動作するマイクロプロセッサであってよく，スイッチ１０６はラッチリレーであってよい。図示した例示実施形態において，ラッチリレー１０６は図示のとおり２極を含み，うち一つは主電源４００を接続又は切断し，他方は補助（ＡＵＸ）入力１０８及び補助出力１１０を接続又は切断する。別の実施形態においては，所望であれば単極スイッチを利用してもよい。
【００２８】
特定の種類のエネルギ蓄積装置１０２と，監視装置１０４と，スイッチ１０６とが特定されたが，ほかの代替装置も知られており，類似の効果と共に利用できることを理解されたい。超コンデンサと，マイクロプロセッサと，リレーとの構成及び動作は，類似の機能を提供するほかの部品と同様によく知られており，当業者にはなじみ深いものであるため，ここでは特には説明しない。
【００２９】
マイクロプロセッサ１０４は，印加される電圧の変化を感知するように配線された少なくとも一つのデジタル入力１２０（図１及び２においてＤと記す）と，超コンデンサ１０２の電圧を感知するように配線された少なくとも一つのアナログデジタル変換入力１２２（図１及び２においてＡ／Ｄと記す）とを備える。最後に，図示した例において，少なくとも一つのＤＣ電圧入力１１２は，超コンデンサ１０２及びマイクロプロセッサ１０４双方の電圧入力となる。図１及び２に示した例示実施形態において，ラッチ素子１０６は，対応する電力入力線１１６及び電力出力線１１８を介して電源４００を接続又は切断する。
【００３０】
図示した例において，制御装置１００はプロセッサ１０４及びメモリ記憶装置１０５を含むプログラム可能なプロセッサベース装置であって，実行可能命令，コマンド及び制御アルゴリズム，並びに機器３００を満足に動作させるために必要な，通信網及びプロトコルのパラメータのような，ほかのデータ及び情報が記憶されている。プロセッサベース装置のメモリ１０５は例えばランダムアクセスメモリ（ＲＡＭ）と，限定ではないがフラッシュメモリ（ＦＬＡＳＨ），プログラム可能読出し専用メモリ（ＰＲＯＭ），及び電気的消去可能プログラム可能読出し専用メモリ（ＥＥＰＲＯＭ）を含む，ＲＡＭメモリと関連して用いられるほかの形態のメモリであってよい。
【００３１】
ここで用いる「プロセッサベース装置」の用語は，当該装置の機能を制御するための，図示したプロセッサ又はマイクロプロセッサを含む装置を指すものとするが，マイクロコントローラ，マイクロコンピュータ，プログラム可能論理コントローラ，縮小命令セット（ＲＩＳＣ）回路，特定用途集積回路及びほかのプログラム可能回路，論理回路，それらの均等物，並びに以降説明する機能を実行することができる任意のほかの回路又はプロセッサのようなほかの均等な素子も指すものとする。上に掲げたプロセッサベース装置は例に過ぎず，したがって，「プロセッサベース装置」の用語の定義及び／又は意味をどのようにも制限するものではない。
【００３２】
図示した例において，主電源４００は，１２０Ｖ，６０Ｈｚの家庭用電力系統によくある単相電力のような，交番電流（ＡＣ）主電源電圧に対応するが，異なる電圧，異なる周波数又は種々の相数で動作する別種のＡＣ電源も選択可能である。主電源４００は例えば代替として，車両電力系統のバッテリのような１２Ｖ〜１５Ｖの直流（ＤＣ）電源であってもよい。車両電力系統においては，バッテリが，アクセサリ及び補助アプリケーションを動作させる主電力系統の一部又は補助電力系統であってもよい。機器３００は，車両が動作していないとき電力供給できる任意の元々の装置，又は任意の購入後に車両に設置された機器若しくはアクセサリ，及び車両内で一時的に利用できる任意の可搬型電子装置を表す。
【００３３】
車両並びに車両電気系統に接続された種々の電気装置及び機器の場合，種々の例示実施形態において，車両は乗用車両（例えば，道路で利用するように設計されたオートバイ，乗用車，トラック及びバス），商用車（例えば，トレーラー，牛乳配達車，配達車，ごみ収集車，フォークリフト），建設機械（例えば，掘取機（ｄｉｇｇｅｒ），油圧ショベル（ｂａｃｋｈｏｅ），ブルドーザ，積込機（ｌｏａｄｅｒ），土運搬機，地ならし機（ｇｒａｄｅｒ），ローラ，ダンプトラック），すべての種類の軍用車両，オフロード用に設計された車両（例えば，トラクタ及びほかの農場用車両，四輪駆動車，スポーツ用多目的車（ＳＵＶ），全地形用車両，荒地用バイク，サンドバギー，ロッククローラ，サンドレール，スノーモビル，ゴルフカート），種々の種類の海上用乗り物（例えば，船，ボート，潜水艦，個人用水上オートバイ，及びほかの船舶），種々の種類の航空機（例えば，飛行機及びヘリコプタ），宇宙船（例えば，ミサイル，ロケット，衛星及びシャトル），リクリエーション用車両（例えば，ＲＶ及びキャンピングカー），又は機械，電気並びにほかのシステム及びサブシステムによって推進及び／又は駆動される，人又は物を運搬するほかの態様であってよい。
【００３４】
後述の一定の状況において，任意選択で追加の利点を提供するプッシュボタンスイッチ１１４も図１に示されている。
【００３５】
ラッチリレー１０６が，セット状態と呼ばれることもある閉じた位置にあるとき，電源入力線１１６は電源出力線１１８に接続され，機器３００を主電源４００に接続し，次いで機器３００が意図したとおりに動作するように機器３００に給電する。この配置は図２に見ることができる。機器３００は，利用者が望む限り，正常動作用に全電力が供給される。機器３００は，種々の制御アルゴリズムを実行し，機器３００の必要な機能を提供するために，独自のプロセッサベースコントローラ及びメモリを含んでもよいことを理解されたい。代替として，一つのコントローラが活性利用されている機器の活性に動作しているアルゴリズム並びに以降更に説明するエネルギ管理制御アルゴリズム及び機能双方を実行できるように，機器コントローラ及び制御装置１００が統合されていてもよい。
【００３６】
セット状態にある電源投入された機器３００は，電圧入力１１２（図１及び２のＶＤＣ）及び入力１２４（これもまた，図１及び２にＶｄｄとして示されている）を介して，微小電力モニタ１０４及び超コンデンサ１０２に電圧を供給して，機器３００が動作しているときはいつも，超コンデンサ１０２を全電圧レベルに充電し，又は蓄積されたエネルギを回復する。微小電力モニタ１０４によってリレー１０６が開位置，又はリセット状態と呼ばれることもある状態に切り替えられたとき，機器は主電源４００から切断され，機器３００は完全に停止し，ＶＤＣ１１２はもはや存在しない。そうすると，超コンデンサ１０２が図１及び２の電圧入力Ｖｄｄに，機器が利用されていないときに（すなわち，無作動状態，待機状態，又は無負荷状態であって，利用者機能が不活性化されている状態で）微小電力モニタ１０４が動作するために必要な電力を供給する。
【００３７】
微小電力モニタ１０４の正常動作は，機器３００がＡＣ電力４００（又は，車両環境の場合はＤＣ電力供給）を必要とすることを示す電圧変化があるかどうかを判定するために，デジタル入力１２０を感知することである。例えば，利用者が機器３００のオンボタンを押すと，図１及び２に示されているマイクロプロセッサデジタル入力１２０に接続される。マイクロプロセッサ１０４は微小電力装置であるため，マイクロプロセッサが「休眠状態」にあるときにデジタル入力１２０を監視することができる。休眠状態では，例示実施形態においては，マイクロプロセッサ１０４は通常マイクロワットオーダの電力を消費するに過ぎない。マイクロプロセッサ１０４が覚醒状態にあるわずかな時間でさえ，電力の取り出し（ｄｒａｗ）は非常に小さい。したがって，ここでは超コンデンサであるエネルギ蓄積装置１０２のエネルギ流出もまた非常に小さい。
【００３８】
しかし，利用者が機器３００を動作させるまで，機器３００は非常に長い時間ＡＣ主電源４００に差し込まれたままのことがある。超コンデンサ１０２は均等な物理サイズのバッテリと異なり，比較的短期間で出力電圧が低下する。マイクロプロセッサ１０４は一定の電圧範囲で動作することができるが，最低動作電圧があり，それ以下では機能することができない。したがって，マイクロプロセッサ１０４は，周期的に覚醒し，マイクロプロセッサ１０４のアナログデジタル変換（Ａ／Ｄ）入力機能を用いて，超コンデンサ電圧の測定を行うようにプログラムされる。超コンデンサ１０２の電圧が，マイクロプロセッサ１０４の最低動作電圧に近づいていることを見付けたとき，マイクロプロセッサ１０４はラッチリレー１０６をセット状態にし，ＶＤＣ入力１１２に電圧が現れ，超コンデンサ１０２を充電するために利用できるようになるように，リレーはＡＣ主電源４００に接続する。通常数秒しかかからないが，超コンデンサ１０２が再充電されると，マイクロプロセッサ１０４は超低電力休眠状態に戻ってもよい。
【００３９】
さて，マイクロプロセッサ１０４が超コンデンサ１０２の再充電を必要としたとき，機器３００はコンセントから抜かれていてもよい（すなわち，プラグ４０２は，電源コンセントから抜かれていてもよい）。この場合，ＶＤＣ入力１１２には何らの電圧も現れない。ＶＤＣ入力１１２を介して機器３００が配電した電圧値は現れないため，マイクロプロセッサ１０４が行う測定によってプラグが抜かれた機器３００を特定することができる。その代わり，電圧値は超コンデンサ１０２について測定した値に止まる。したがって，マイクロプロセッサ１０４はラッチリレー１０６をセット状態のままにして，休眠状態に戻る。この時点では，マイクロプロセッサ１０４は動作電圧が不十分であるためその後動作しなくなるが，その後機器３００がＡＣ主電源４００に接続されたとき，マイクロプロセッサ１０４は再度ＡＣ電力が供給され，次いで超コンデンサ１０２を再充電し，マイクロプロセッサ１０４は全動作状態を回復する。この時点でマイクロプロセッサ１０４は，デジタル入力１１２で機器利用入力を検査し，それに応じてラッチリレーを設定する正常プログラムフローに再び入る。
【００４０】
ここで図３を参照すると，制御装置１００（図１），特にその監視素子１０４によって実現される，システム２００のための例示制御アルゴリズム５００が示されている。図３に示す通り，アルゴリズム５００は，通常機器３００が最初に主電源４００に接続されたときに制御装置１００に電源投入する初期ステップ５０２を含む。電源投入されると，スイッチ１０６は最初にセット状態にラッチされるように設定される。ステップ５０６において，監視素子はＶＤＣ入力１１２を介して機器電圧があるかどうか（すなわち，機器が図２に示すＡＣ主電源４００，又は代替として，車両のバッテリのようなＤＣ電源のような動作可能電源に接続されているかどう）を確かめるために検査する。
【００４１】
ステップ５０６において機器電圧があったときは，ステップ５０８においてコントローラはコンデンサ１０２が全エネルギレベルに充電されるまで待機する。そして，監視素子１０４はステップ５１０で，入力１２０を介して機器のオン信号を検査する。機器がオンである限り，制御装置１００は何らの更なる動作も行わない。利用者が機器をオンにしたとき，無作動状態，待機状態又は無負荷状態にある，制御装置１００が備えるエネルギ蓄積機能は適用できない。
【００４２】
もはや機器オン信号が入力１２０にないとき，機器は利用者によってオフにされており，ステップ５１２において監視素子１０４はスイッチ１０６をリセット状態にラッチする。これが完了すると，機器３００は主電源から切断され，電力の取り出しを停止する。この時点以降，超コンデンサ１０２に蓄積されたエネルギが監視素子１０４に給電してもよい。その後，監視素子１０４は超コンデンサに蓄積されたエネルギを保存するために休眠状態に入る（ステップ５１４）。しかし，監視素子１０４は所定の時間に覚醒して，ステップ５１６に示すように超コンデンサ１０２の電圧を検査する。そして，監視素子１０４は，ステップ５１８において，超コンデンサの電圧が十分かどうか確かめるために検査する。
【００４３】
ステップ５１８において，超コンデンサの電圧が，監視素子１０の最小電力要求条件に基づいて選択される所定のしきい値よりも十分に高いときは，電圧は十分であると認定される。この時点で何らの更なる動作は必要なく，ステップ５１４において監視素子１０４は休眠に戻る。
【００４４】
ステップ５１８において，超コンデンサの電圧が所定のしきい値に近づいているときは，監視素子１０４はステップ５０４に戻り，スイッチ１０６をセット状態にラッチする。そしてステップ５０６に示すとおり，コントローラは再度，ＶＤＣ入力１１２を介して機器電圧があるかどうかを確かめるステップに進む。機器電圧があるときは，ステップ５０８において，コントローラは，超コンデンサ１０２が再充電されるのに適切な時間だけ，再度待機する。そしてコントローラはステップ５１０，５１２及び５１４をたどり，休眠に戻る。
【００４５】
また，図３に示すように，利用者が機器をオンにすると，デジタル入力１２０の状態の変化を引き起こし，次いでハードウェアフロー制御割込が発生する。特に，監視素子１０４は機器オン信号の発生に応答して覚醒し，ステップ５１９に示すようにスイッチ１０６をセット状態にラッチする。その後，機器がオンである限り，機器オン信号は存在し続け，監視素子１０４はステップ５２０をループして，機器オン信号の検査を継続する。
【００４６】
機器オン信号が消えたときは，機器はオフにされており，ステップ５２２に示すとおり，監視素子１０４はスイッチ１０６をリセット状態にラッチし，機器３００を電源４００から切断する。そして監視素子１０４はステップ５１４において休眠に戻り，アルゴリズムは継続する。
【００４７】
ステップ５０６において，機器電圧がないと判定されたとき，監視素子１０４はステップ５２４に示すようにスイッチ１０６をセット状態にラッチするように動作させる。超コンデンサ１０２に変化があったときは，監視素子１０４はステップ５１４に戻り，休眠する。このように，制御装置１００は，電力が喪失したとき，又は機器３００がコンセントから抜かれたとき，いくらかの期間動作することができる。超コンデンサ１０２に蓄積されたエネルギを使い尽くすだけ長い期間，上記のいずれかが起こったときは，制御装置は動作を停止し，電力が回復するか，機器３００が再度コンセントに接続されたとき，電源投入によってアルゴリズムはステップ５０２で完全にやり直される。機器３００の動作に関係するデータ及び情報は機器内のメモリに記憶され，機器３００が主電源４００から切断されたとき，通常行われるように機器内の高電気容量エネルギ蓄積素子によっていくらかの期間給電される。このように，機器内のデータ記憶は，超コンデンサ電圧が尽きてエネルギ管理制御装置１００が動作を停止しても影響を受けず，機器３００の電源が投入されると，データは所望のとおり呼出し及び利用するために，機器３００に利用可能になる。
【００４８】
アルゴリズム５００は一般に種々の機器及び電源に適用可能である。機器はすべての種類の可搬型装置であってもよいし，非可搬型装置であってもよい。電源はＡＣ電力を供給してもよいし，ＤＣ電力を供給してもよく，したがって，車両サブシステムに主電力又は補助電力を供給する車両電気系統に関係する機器及びアクセサリに用いることができる。
【００４９】
類似の結果を達成する一方で，アルゴリズム５００内で追加の処理及びステップも実行してよい。アルゴリズム５００は，機器又は装置のほかの処理及びアルゴリズムと更に組み合わせてもよい。例示の一連のステップを説明したが，類似の結果を達成するために，図示及び説明したシーケンスへの変更が可能であることを理解されたい。したがって，アルゴリズム５００は例示に過ぎず，制限ではなく説明目的で提供されたものである。
【００５０】
制御装置１００と，システム２００と，アルゴリズム５００との利点は多数であると考えられる。無作動状態，待機状態又は無負荷状態の機器３００が浪費する電力は劇的に減少し，実際のところ，ほとんどなくなる。したがって，非活性状態の機器又は装置の電力消費はゼロに近づき，したがって制御装置１００は無電力制御装置と呼ばれることがある。監視素子１０４はほとんど電力を取り出さず，超コンデンサ１０２は非常にわずかな電力で充電及び再充電できる。電源４００の接続及び切断は人による如何なる操作もなく自動的に行われ，制御装置１００の動作は一般に装置の利用者には分からない。したがって，エネルギ消費は利用者側での如何なる努力もなしに，そして知識もなしに削減することができる。このアルゴリズム，関連する方法及びシステムにおける人的エラーは完全に避けられる。
【００５１】
超コンデンサ１０２を再充電するために周期的に覚醒することによって，比較的小さなエネルギ蓄積容量を効果的に用いることができるようになり，したがって，比較的高価かつ大容量の蓄電池よりも超コンデンサ１０２を用いることができる。均等な物理サイズの電池は，何ヶ月もの間コンセントから抜かれた機器を許容するだけの追加のエネルギ蓄積を提供するが，ずっと高コストである。機器３００がコンセントから抜かれていることが分かったとき，ステップ５２４で示したようにラッチリレー１０６をセット状態に設定することによって，ずっと低容量の超コンデンサを用いることができる。何となれば，超コンデンサ１０２に蓄積されたエネルギがずっと速く枯渇したとしても，機器はコンセントに接続されると正常に電源投入されるからである。
【００５２】
任意選択のプッシュボタン１１４（図１）は，システム２００をラッチリレー１０６がセット状態に置かれた状態に初期化する方法を提供する追加機能を提供する。この機能は通常，ラッチリレー１０６の初期状態が分からない，ユニットの初期組立て後の製造中に用いられる。ステップ５０２において，電源投入時にリレー１０６がリセット位置にラッチされていると，アルゴリズム５００は超コンデンサを充電するように動作しない。
【００５３】
制御装置１００は入手可能な部品で構成され，上述の機能を達成するように比較的容易にプログラムできる。この機能について説明したが，当業者であれば，更なる説明なしに制御装置１００を実現できると考えられる。
【００５４】
本発明の技術開示の利点及び長所は，開示した例示実施形態から明らかであると思われる。
【００５５】
主電源によって給電される電気装置のエネルギ管理制御装置の実施形態を開示した。この電気装置は，活性利用に対する第１モードでの全電力動作と，無作動状態，待機状態及び無負荷状態を含む，非活性のときの第２モードとのために構成される。制御装置は，プロセッサベース装置と，プロセッサベース装置によって電気装置を主電源と接続又は切断するように動作するスイッチと，主電源がスイッチによって切断されているとき及び電気装置が第２モードにあるとき，プロセッサベース装置に給電するよう動作するエネルギ蓄積素子とを備え，プロセッサベース装置は，エネルギ蓄積素子の第１電圧と，第１モードの電気装置の動作に対応する第２電圧とを監視し，プロセッサベース装置は，第１電圧及び第２電圧のうち少なくとも一つの所定の変化に応答して，主電源と接続及び切断するようにスイッチを動作させるように構成される。
【００５６】
任意選択で，プロセッサベース装置はマイクロコントローラを備えてもよい。エネルギ蓄積素子は超コンデンサであってよい。プロセッサ装置は，第２電圧が消えたとき電気装置を主電源から切断するようにスイッチを動作させるように構成され，これによって電気装置が第２モードを推定することを示す。プロセッサベース装置はさらに，低電力休眠状態に入り，周期的に休眠状態から覚醒して第１電圧を監視する。プロセッサベース装置は，第１電圧が所定のしきい値に近づいたとき，電気装置を電源に再接続するように構成してもよい。第１電圧が所定のしきい値より高いときは，プロセッサベース装置は，低電力休眠状態に戻るように構成してもよい。プロセッサベース装置は，第２電圧があるときはいつも，主電源を電気装置に接続するようにスイッチを動作させるように構成してもよい。
【００５７】
プロセッサベース装置は，第１電圧及び第２電圧双方の所定の変化に応答して，電気装置は主電源に接続及び切断するようにスイッチを選択的に動作させるように構成してもよい。本発明の請求項の制御装置はまた，スイッチと連携するプッシュボタンも含んでよい。
【００５８】
主電源によって給電される電気機器のエネルギ管理システムの実施形態もまた開示される。この電気機器は，活性利用に対する第１モードと，無作動状態，待機状態及び無負荷状態を含む，不活性のときの第２モードとで動作するように構成される。制御装置は主電源及び電気機器と接続するように構成され，プロセッサベース装置と，プロセッサベース装置によって機器装置を主電源と接続又は切断するように動作するスイッチと，主電源がスイッチによって切断されているとき及び電気装置が第２モードにあるとき，プロセッサベース装置に給電するよう動作するエネルギ蓄積素子とを備え，プロセッサベース装置は，エネルギ蓄積素子と関係する第１電圧入力と，第２電圧入力とを監視するように構成され，第１モードの電気機器の動作は第２電圧入力に電圧信号を提示し，電圧信号は電気機器が第２モードに入ったとき消え，プロセッサベース装置は，第２電圧が消えたとき，電気機器を主電源から切断するようにスイッチを動作させるように構成される。
【００５９】
任意選択で，プロセッサベース装置は，第２電圧が現れたときはいつでも電気機器を主電源に再接続するようにスイッチを動作させるように更に構成してもよい。プロセッサベース装置は，電気機器が主電源から切断されているとき，第１電圧入力を監視し，第１電圧を所定の電圧しきい値と比較するように更に構成してもよい。プロセッサベース装置は，第１電圧が所定のしきい値に近づいたとき，電気機器を主電源と再接続するようにスイッチを動作させるように更に構成してもよい。所定のしきい値は，プロセッサベース装置の最低電圧要求条件に対応してもよい。プロセッサベース装置は，低電力休眠状態に入り，周期的に休眠状態から覚醒して第１電圧を監視するように更に構成してもよい。プロセッサベース装置はまた，第１電圧が所定のしきい値より十分高いとき，低電力休眠状態に再入するように構成してもよい。
【００６０】
プロセッサベース装置はマイクロコントローラを備えてもよく，エネルギ蓄積素子は超コンデンサであってよく，制御装置は電気機器と一体化してもよい。電気機器は，充電器機器，電力アダプタ，可搬型電子装置，非可搬型電子装置及び車両電力系統と関係する機器のうち一つであってよい。制御装置は，スイッチと連携するプッシュボタン更に備えてもよい。
【００６１】
エネルギ管理システムの実施形態もまた開示された。システムは，主電源によって給電されるように構成される電気機器であって，活性利用に対する第１モードと，無作動状態，待機状態及び無負荷状態を含む，非活性のときの第２モードとで動作するように構成される電気機器と，機器と関係する制御装置であって，主電源及び電気機器と接続するように構成された制御装置とを備える。制御装置は，覚醒状態及び低電力休眠状態で動作するプロセッサベース装置と，覚醒状態においてプロセッサベース装置によって機器装置を主電源と接続又は切断するように動作するスイッチと，主電源がスイッチによって切断されているとき及び電気装置が第２モードにあるとき，プロセッサベース装置に給電するように動作するエネルギ蓄積素子とを備える。プロセッサベース装置は，エネルギ蓄積素子と関係する第１電圧入力と，第２電圧入力とを監視するように構成され，第１モードの電気機器の動作は第２電圧入力に電圧信号を提示し，電圧信号は電気機器が第２モードに入ったとき消え，プロセッサベース装置は，第２電圧が消えたとき，電気機器を主電源から切断するようにスイッチを動作させるように構成され，プロセッサベース装置は，第２電圧が消えたとき低電力休眠状態に入り，その後第１電圧を監視するために周期的に覚醒状態に入るように構成される。
【００６２】
任意選択で，プロセッサベース装置は，覚醒状態に入り，第２電圧が現れたときはいつでも電気機器を主電源に再接続するようにスイッチを動作させるように更に構成してもよい。プロセッサベース装置は，覚醒状態にあるとき，第１電圧を所定の電圧しきい値と比較し，第１電圧が所定のしきい値より十分高いとき，低電力休眠状態に再入するか，第１電圧が所定のしきい値に近づいたとき，エネルギ蓄積素子が再充電されるまで，電気機器を主電源と再接続するようにスイッチを動作させるように更に構成してもよい。
【００６３】
プロセッサベース装置はマイクロコントローラを備えてもよく，エネルギ蓄積素子は超コンデンサであってよく，制御装置は電気機器と一体化してもよい。電気機器は，充電器機器，電力アダプタ，可搬型電子装置，非可搬型電子装置及び車両電力系統と関係する機器のうち一つであってよい。制御装置は，スイッチと連携するプッシュボタン更に備えてもよい。機器は，電源コードと，主電源と接続するようにしたプラグとを含んでもよい。機器は第１モードにおいて，ＡＣ電源によって給電されるように構成してもよいし，第１モードにおいてＤＣ電源によって給電されるように構成してもよい。
【００６４】
電気装置によるエネルギ消費を管理する方法もまた開示された。電気装置は，ＡＣ主電源とＤＣ主電源とのうち少なくとも一つによって給電されるように構成される。電気装置はさらに，活性利用のための第１の全電力動作モードと，不活性のときの第２の電力削減動作モードとで作可能である。第２モードは，無作動状態と，待機状態と，無負荷状態とのうち一つである。本方法は，プロセッサベース装置と，プロセッサベース装置によって，電気装置を主電源と接続又は切断するように動作するスイッチと，主電源がスイッチによって切断されているとき及び電気装置が不活性であるとき，プロセッサベース装置に給電するよう動作するエネルギ蓄積素子とを備える。この方法は，プロセッサベース装置でエネルギ蓄積素子の第１電圧を監視するステップと，プロセッサベース装置で第１モードにある電気装置の動作と関係する第２電圧を監視するステップと，プロセッサベース装置で，第２電圧があるときはいつでも電気装置を主電源と接続するようにスイッチを動作させるステップと，プロセッサベース装置で，第２電圧が消えたときはいつでも電気装置を主電源から切断するようにスイッチを動作させるステップと，電気装置が主電源から切断されている間，プロセッサベース装置をエネルギ蓄積素子で給電するステップと，を有する。
【００６５】
任意選択で，この方法は，第２電圧が消えたときプロセッサベース装置が低電力休眠状態に入るステップと，その後プロセッサベース装置が第１電圧を監視するために覚醒状態に入るステップと，を更に有する。この方法は同様に，プロセッサベース装置で覚醒状態にあるとき第１電圧と所定の電圧しきい値とを比較するステップと，第１電圧が所定のしきい値より十分に高いとき，低電力休眠状態に入るステップとを含む。この方法は，第１電圧が所定のしきい値に近づいたとき，プロセッサベース装置で電気機器を主電源に再接続するようにスイッチを動作させるステップを含んでもよい。この方法は，電気機器が電源に再接続されている間，プロセッサベース装置で第１電圧を監視するステップと，第１電圧がエネルギ蓄積素子の所定の再充電電圧に達したとき，電気機器を主電源から切断するようにスイッチを動作させるステップとを含んでもよい。制御装置を機器及び主電源と接続するステップは，電源コードを主電源に差し込むステップを含んでもよい。この方法は，制御装置を電気装置及び主電源と接続するステップを有してもよい。
【００６６】
本方法はまた，制御装置を電気装置と統合するステップ，又は制御装置を電気装置に追加するステップを含んでもよい。制御装置を機器及び主電源と接続するステップは，制御装置をＡＣ主電源に接続するステップを含んでもよい。エネルギ蓄積素子は超コンデンサであってよい。電気装置は，充電器機器，電力アダプタ，可搬型電子装置，非可搬型電子装置及び車両電力系統と関係する機器のうち一つであってよい。
【００６７】
この明細書は，最良の態様を含む本発明を開示し，当業者が，任意の装置又はシステムを作成し，利用し，また任意の組み込まれた方法を実行することを含み，本発明を実践することができるように例を用いている。本発明の特許可能な範囲は請求項によって規定され，当業者が想起するほかの例も含んでよい。このようなほかの例は，本願請求項の文字通りの文章と違わない構成要素を有するか，本願請求項の文字通りの文章とわずかな差異のある均等な構成要素を含むとき，本願請求項の範囲内にあるものとする。
【図１】
0006023789.tif 000002
【図２】
0006023789.tif 000003
【図３】
0006023789.tif 000004